(57)【要約】【課題】２つの異なる方式のテレビ放送信号を受信可能なテレビ放送受信装置において、消費電力の節約及び輻射ノイズの低減を図りつつ、短い間に幾度も異なる方式のテレビ放送が選局操作されたときに、選局されたテレビ放送の映像を素早く表示できる。【解決手段】テレビ放送受信装置１は、ＮＴＳＣ方式の放送信号を処理するＮＴＳＣ増幅回路３１、ＮＴＳＣ復調回路３２、ビデオデコーダ３３と、ＡＴＳＣ方式の放送信号を処理するＡＴＳＣ増幅回路４１、ＡＴＳＣ復調回路４２、ＭＰＥＧデコーダ４３を有する。ＣＰＵ１１は、ＮＴＳＣ方式からＡＴＳＣ方式へ受信を切換える際、立上り時間の短いＡＴＳＣ増幅回路３１、ＡＴＳＣ復調回路３２、ビデオデコーダ３３の順に電力供給を断ち、ＡＴＳＣ方式からＮＴＳＣ方式へ受信を切換える際、立上り時間の短いＡＴＳＣ増幅回路４１、ＡＴＳＣ復調回路４２、ＭＰＥＧデコーダ４３の順に電力供給を断つ。【選択図】図１
2006140846.tif 000002
【特許請求の範囲】
【請求項１】
放送局から所定周波数の搬送波に変調されて配信されるテレビ放送信号を受信する受信手段と、前記受信手段により受信したテレビ放送信号のうち、ＮＴＳＣ方式のテレビ放送信号を処理して映像に関する信号を生成するＮＴＳＣ信号処理手段と、前記受信手段により受信したテレビ放送信号のうち、ＡＴＳＣ方式のテレビ放送信号を処理して映像に関する信号を生成するＡＴＳＣ信号処理手段と、前記ＮＴＳＣ信号処理手段又は前記ＡＴＳＣ信号処理手段により生成された映像に関する信号を、本装置に接続されるアナログディスプレイにて映像を表示できる形式の信号に処理するアナログビデオ処理手段と、前記ＮＴＳＣ信号処理手段又は前記ＡＴＳＣ信号処理手段により生成された映像に関する信号を、本装置に接続されるデジタルディスプレイにて映像を表示できる形式の信号に処理するデジタルビデオ処理手段と、前記ＮＴＳＣ信号処理手段、ＡＴＳＣ信号処理手段、アナログビデオ処理手段、及びデジタルビデオ処理手段への電力供給を制御する電力供給制御手段とを備え、前記電力供給制御手段は、ＮＴＳＣ方式のテレビ放送信号を受信するときは、前記ＮＴＳＣ信号処理手段へ電力を供給すると共に前記ＡＴＳＣ信号処理手段への電力供給を断ち、ＡＴＳＣ方式のテレビ放送信号を受信するときは、前記ＮＴＳＣ信号処理手段への電力供給を断つと共に前記ＡＴＳＣ信号処理手段へ電力を供給するテレビ放送受信装置において、
前記ＮＴＳＣ信号処理手段は、前記受信手段により受信したＮＴＳＣ方式のテレビ放送信号を増幅するＮＴＳＣ増幅回路と、前記ＮＴＳＣ増幅回路により増幅された信号を復調するＮＴＳＣ復調回路と、前記ＮＴＳＣ復調回路により復調された信号を復号して映像に関する信号を生成するＮＴＳＣ復号回路とを備え、
前記ＡＴＳＣ信号処理手段は、前記受信手段により受信したＡＴＳＣ方式のテレビ放送信号を増幅するＡＴＳＣ増幅回路と、前記ＡＴＳＣ増幅回路により増幅された信号を復調するＡＴＳＣ復調回路と、前記ＡＴＳＣ復調回路により復調された信号を復号して映像に関する信号を生成するＡＴＳＣ復号回路とを備え、
前記ＮＴＳＣ増幅回路、ＮＴＳＣ復調回路、及びＡＴＳＣ増幅回路は、各々別個にアナログＩＣ化されており、
前記ＮＴＳＣ復号回路、ＡＴＳＣ復調回路、及びＡＴＳＣ復号回路は、各々別個にデジタルＩＣ化されており、
前記ＮＴＳＣ増幅回路、ＮＴＳＣ復調回路、ＮＴＳＣ復号回路、ＡＴＳＣ増幅回路、ＡＴＳＣ復調回路、ＡＴＳＣ復号回路、アナログビデオ処理手段、及びデジタルビデオ処理手段への電力供給を個別にオン、オフするために、これらに対応して個別に設けられた複数のスイッチをさらに備え、
前記電力供給制御手段は、
前記各スイッチを個別にオン、オフすることにより、前記ＮＴＳＣ増幅回路、ＮＴＳＣ復調回路、ＮＴＳＣ復号回路、ＡＴＳＣ増幅回路、ＡＴＳＣ復調回路、及びＡＴＳＣ復号回路、アナログビデオ処理手段、及びデジタルビデオ処理手段への電力供給を個別に制御し、
ＮＴＳＣ方式のテレビ放送信号の受信からＡＴＳＣ方式のテレビ放送信号の受信へ切換える際は、前記ＡＴＳＣ増幅回路、ＡＴＳＣ復調回路、及びＡＴＳＣ復号回路への電力供給を開始した後、まず前記ＮＴＳＣ増幅回路への電力供給を断ち、次に前記ＮＴＳＣ復調回路への電力供給を断ち、最後に前記ＮＴＳＣ復号回路への電力供給を断ち、
ＡＴＳＣ方式のテレビ放送信号の受信からＮＴＳＣ方式のテレビ放送信号の受信へ切換える際は、前記ＮＴＳＣ増幅回路、ＮＴＳＣ復調回路、及びＮＴＳＣ復号回路への電力供給を開始した後、まず前記ＡＴＳＣ増幅回路への電力供給を断ち、次に前記ＡＴＳＣ復調回路への電力供給を断ち、最後に前記ＡＴＳＣ復号回路への電力供給を断ち、
また、前記アナログディスプレイにて映像の表示を行う際は、前記アナログビデオ処理手段に電力を供給すると共に前記デジタルビデオ処理手段への電力供給を断ち、前記デジタルディスプレイにて映像の表示を行う際は、前記デジタルビデオ処理手段に電力を供給すると共に前記アナログビデオ処理手段への電力供給を断つことを特徴とするテレビ放送受信装置。
【請求項２】
放送局から所定周波数の搬送波に変調されて配信されるテレビ放送信号を受信する受信手段と、前記受信手段により受信したテレビ放送信号のうち、第１の方式のテレビ放送信号を処理して映像に関する信号を生成する第１の信号処理手段と、前記受信手段により受信したテレビ放送信号のうち、第２の方式のテレビ放送信号を処理して映像に関する信号を生成する第２の信号処理手段と、前記第１及び第２の信号処理手段への電力供給を制御する電力供給制御手段とを備え、前記電力供給制御手段は、第１の方式のテレビ放送信号を受信するときは、前記第１の信号処理手段へ電力を供給すると共に前記第２の信号処理手段への電力供給を断ち、第２の方式のテレビ放送信号を受信するときは、前記第１の信号処理手段への電力供給を断つと共に前記第２の信号処理手段へ電力を供給するテレビ放送受信装置において、
前記第１の信号処理手段は、前記受信手段により受信した第１の方式のテレビ放送信号を増幅する第１の増幅回路と、前記第１の増幅回路により増幅された信号を復調する第１の復調回路と、前記第１の復調回路により復調された信号を復号して映像に関する信号を生成する第１の復号回路とを備え、
前記第２の信号処理手段は、前記受信手段により受信した第２の方式のテレビ放送信号を増幅する第２の増幅回路と、前記第２の増幅回路により増幅された信号を復調する第２の復調回路と、前記第２の復調回路により復調された信号を復号して映像に関する信号を生成する第２の復号回路とを備え、
前記電力供給制御手段は、前記第１の増幅回路、第１の復調回路、第１の復号回路、第２の増幅回路、第２の復調回路、及び第２の復号回路への電力供給を個別に制御することを特徴とするテレビ放送受信装置。
【請求項３】
前記第１の復号回路及び第２の復号回路は、各々デジタルＩＣ化されており、
前記電力供給制御手段は、
第１の方式のテレビ放送信号の受信から第２の方式のテレビ放送信号の受信へ切換える際に前記第１の信号処理手段への電力供給を断つときは、まず前記第１の増幅回路及び第１の復調回路への電力供給を断ち、その後に前記第１の復号回路への電力供給を断ち、
第２の方式のテレビ放送信号の受信から第１の方式のテレビ放送信号の受信へ切換える際に前記第２の信号処理手段への電力供給を断つときは、まず前記第２の増幅回路及び第２の復調回路への電力供給を断ち、その後に前記第２の復号回路への電力供給を断つ請求項２に記載のテレビ放送受信装置。
【発明の詳細な説明】
【技術分野】
【０００１】
本発明は、放送局から配信されるテレビ放送信号を受信して、テレビ放送信号による映像をディスプレイにて表示するためのテレビ放送受信装置に関するものである。
【背景技術】
【０００２】
従来から、テレビ放送受信装置は、ＮＴＳＣ方式とＡＴＳＣ方式の２つの異なる方式のテレビ放送信号を受信できるようにしたテレビ放送受信装置がある。このようなテレビ放送受信装置は、ＮＴＳＣ方式のテレビ放送信号を処理して映像に関する信号を生成するためのＮＴＳＣ用の信号処理手段と、ＡＴＳＣ方式のテレビ放送信号を処理して映像に関する信号を生成するためのＮＴＳＣ用の信号処理手段とを備えている。
【０００３】
ＮＴＳＣ用の信号処理手段は、ＮＴＳＣ方式のテレビ放送信号を増幅するＮＴＳＣ用の増幅回路と、この増幅回路により増幅された信号を復調するＮＴＳＣの復調回路と、この復調回路により復調された信号を復号して映像に関する信号を生成するＮＴＳＣ用の復号回路とを備えている。また、ＡＴＳＣ用の信号処理手段は、ＡＴＳＣ方式のテレビ放送信号を増幅するＮＴＳＣ用の増幅回路と、この増幅回路により増幅された信号を復調するＡＴＳＣの復調回路と、この復調回路により復調された信号を復号して映像に関する信号を生成するＡＴＳＣ用の復号回路とを備えている。
【０００４】
また、ＭＵＳＥ方式とＮＴＳＣ方式のテレビ放送信号を受信可能なテレビ放送受信装置において、ＭＵＳＥ放送受信時には、ＭＵＳＥ用の信号処理回路へ電源供給すると共にＮＴＳＣ用の信号処理回路への電源供給を断ち、ＮＴＳＣ放送受信時には、ＮＴＳＣ用の信号処理回路へ電源供給すると共にＭＵＳＥ用の信号処理回路への電源供給を断つことにより、ＭＵＳＥ用の信号処理回路とＮＴＳＣ用の信号処理回路との相互干渉を防止するようにしたものが知られている（例えば、特許文献１参照）。
【０００５】
また、高品位テレビ方式とＮＴＳＣ方式のテレビ放送信号を受信可能なテレビ放送受信装置において、高品位テレビ放送受信時には、高品位テレビ用の信号処理回路及び音声デコーダへ電源供給すると共にＮＴＳＣ用の映像出力回路、信号処理回路、音声デコーダへへの電源供給を断ち、ＮＴＳＣ放送受信時には、ＮＴＳＣ用の映像出力回路、信号処理回路、音声デコーダへ電源供給すると共に高品位テレビ放送用の信号処理回路及び音声デコーダへの電源供給を断つことにより、消費電力を節約するようにしたものが知られている（例えば、特許文献２参照）。
【特許文献１】特開平８−２２３４９９号公報
【特許文献２】特開平２−１５４５８３号公報
【発明の開示】
【発明が解決しようとする課題】
【０００６】
ところで、上述した従来のテレビ放送受信装置においては、ＮＴＳＣ方式のテレビ放送受信時にＮＴＳＣ用の信号処理手段とＡＴＳＣ用の信号処理手段の両方に電力供給したのでは、ＡＴＳＣ用の信号処理手段へ供給する電力が無駄になり、また、ＡＴＳＣ用の信号処理手段の各回路からの輻射ノイズがＮＴＳＣ用の信号処理手段の各回路へ悪影響を及ぼしてしまう。また、ＡＴＳＣ方式のテレビ放送受信時にＡＴＳＣ用の信号処理手段とＮＴＳＣ用の信号処理手段の両方に電力供給した場合も、同様の課題が生じる。
【０００７】
そこで、上記特許文献１及び特許文献２に記載されているように、一方の方式のテレビ放送受信時に、他方の方式のテレビ放送用の回路への電源供給を断つことが考えられる。特許文献１及び特許文献２に記載のテレビ放送受信装置では、一方の方式のテレビ放送の受信中に、他方の方式のテレビ放送用の全ての回路への電源供給を断つようになっている。従って、上述した従来のテレビ放送受信装置において、ＮＴＳＣ方式のテレビ放送受信時に、ＮＴＳＣ用の信号処理手段へ電力供給すると共にＡＴＳＣ用の信号処理手段の全ての回路への電力供給を断ち、ＡＴＳＣ方式のテレビ放送受信時に、ＡＴＳＣ用の信号処理手段へ電力供給すると共にＮＴＳＣ用の信号処理手段の全ての回路への電力供給を断つことが考えられる。
【０００８】
しかしながら、このような構成を採用した場合、例えばＮＴＳＣ方式のテレビ放送受信中にＡＴＳＣ方式のテレビ放送を受信する選局操作をすると、その選局操作をしてから、ＡＴＳＣ用の信号処理手段へ電力が供給されて、ＡＴＳＣ用の信号処理手段の各回路が信号処理できる状態に立ち上がることになる。その結果、選局操作してから映像が表示されるまでにＡＴＳＣ用の信号処理手段の各回路が立ち上がるまでの時間を要してしまい、選局操作してもすぐにテレビ放送の映像を見ることができない。また、ＡＴＳＣ方式のテレビ放送受信中にＮＴＳＣ方式のテレビ放送を受信する選局操作がなされた場合も、同様に、選局操作してもすぐにテレビ放送の映像を見ることができない。このことは、テレビ放送のチャンネルを色々選局して、ディスプレイに表示される映像を見ることによって視聴したい番組を探す場合に、大きな課題となる。
【０００９】
本発明は、上記課題を解決するためになされたものであり、消費電力の節約及び輻射ノイズの低減を図りつつ、短い間に幾度も異なる方式のテレビ放送が選局操作されたときに、選局されたテレビ放送の映像を素早く表示できるテレビ放送受信装置を提供することを目的とする。
【課題を解決するための手段】
【００１０】
上記目的を達成するために請求項１の発明は、放送局から所定周波数の搬送波に変調されて配信されるテレビ放送信号を受信する受信手段と、受信手段により受信したテレビ放送信号のうち、ＮＴＳＣ方式のテレビ放送信号を処理して映像に関する信号を生成するＮＴＳＣ信号処理手段と、受信手段により受信したテレビ放送信号のうち、ＡＴＳＣ方式のテレビ放送信号を処理して映像に関する信号を生成するＡＴＳＣ信号処理手段と、ＮＴＳＣ信号処理手段又はＡＴＳＣ信号処理手段により生成された映像に関する信号を、本装置に接続されるアナログディスプレイにて映像を表示できる形式の信号に処理するアナログビデオ処理手段と、ＮＴＳＣ信号処理手段又はＡＴＳＣ信号処理手段により生成された映像に関する信号を、本装置に接続されるデジタルディスプレイにて映像を表示できる形式の信号に処理するデジタルビデオ処理手段と、ＮＴＳＣ信号処理手段、ＡＴＳＣ信号処理手段、アナログビデオ処理手段、及びデジタルビデオ処理手段への電力供給を制御する電力供給制御手段とを備え、電力供給制御手段は、ＮＴＳＣ方式のテレビ放送信号を受信するときは、ＮＴＳＣ信号処理手段へ電力を供給すると共にＡＴＳＣ信号処理手段への電力供給を断ち、ＡＴＳＣ方式のテレビ放送信号を受信するときは、ＮＴＳＣ信号処理手段への電力供給を断つと共にＡＴＳＣ信号処理手段へ電力を供給するテレビ放送受信装置において、ＮＴＳＣ信号処理手段は、受信手段により受信したＮＴＳＣ方式のテレビ放送信号を増幅するＮＴＳＣ増幅回路と、ＮＴＳＣ増幅回路により増幅された信号を復調するＮＴＳＣ復調回路と、ＮＴＳＣ復調回路により復調された信号を復号して映像に関する信号を生成するＮＴＳＣ復号回路とを備え、ＡＴＳＣ信号処理手段は、受信手段により受信したＡＴＳＣ方式のテレビ放送信号を増幅するＡＴＳＣ増幅回路と、ＡＴＳＣ増幅回路により増幅された信号を復調するＡＴＳＣ復調回路と、ＡＴＳＣ復調回路により復調された信号を復号して映像に関する信号を生成するＡＴＳＣ復号回路とを備え、ＮＴＳＣ増幅回路、ＮＴＳＣ復調回路、及びＡＴＳＣ増幅回路は、各々別個にアナログＩＣ化されており、ＮＴＳＣ復号回路、ＡＴＳＣ復調回路、及びＡＴＳＣ復号回路は、各々別個にデジタルＩＣ化されており、ＮＴＳＣ増幅回路、ＮＴＳＣ復調回路、ＮＴＳＣ復号回路、ＡＴＳＣ増幅回路、ＡＴＳＣ復調回路、ＡＴＳＣ復号回路、アナログビデオ処理手段、及びデジタルビデオ処理手段への電力供給を個別にオン、オフするために、これらに対応して個別に設けられた複数のスイッチをさらに備え、電力供給制御手段は、各スイッチを個別にオン、オフすることにより、ＮＴＳＣ増幅回路、ＮＴＳＣ復調回路、ＮＴＳＣ復号回路、ＡＴＳＣ増幅回路、ＡＴＳＣ復調回路、及びＡＴＳＣ復号回路、アナログビデオ処理手段、及びデジタルビデオ処理手段への電力供給を個別に制御し、ＮＴＳＣ方式のテレビ放送信号の受信からＡＴＳＣ方式のテレビ放送信号の受信へ切換える際は、ＡＴＳＣ増幅回路、ＡＴＳＣ復調回路、及びＡＴＳＣ復号回路への電力供給を開始した後、まずＮＴＳＣ増幅回路への電力供給を断ち、次にＮＴＳＣ復調回路への電力供給を断ち、最後にＮＴＳＣ復号回路への電力供給を断ち、ＡＴＳＣ方式のテレビ放送信号の受信からＮＴＳＣ方式のテレビ放送信号の受信へ切換える際は、ＮＴＳＣ増幅回路、ＮＴＳＣ復調回路、及びＮＴＳＣ復号回路への電力供給を開始した後、まずＡＴＳＣ増幅回路への電力供給を断ち、次にＡＴＳＣ復調回路への電力供給を断ち、最後にＡＴＳＣ復号回路への電力供給を断ち、また、アナログディスプレイにて映像の表示を行う際は、アナログビデオ処理手段に電力を供給すると共にデジタルビデオ処理手段への電力供給を断ち、デジタルディスプレイにて映像の表示を行う際は、デジタルビデオ処理手段に電力を供給すると共にアナログビデオ処理手段への電力供給を断つものである。
【００１１】
請求項２の発明は、放送局から所定周波数の搬送波に変調されて配信されるテレビ放送信号を受信する受信手段と、受信手段により受信したテレビ放送信号のうち、第１の方式のテレビ放送信号を処理して映像に関する信号を生成する第１の信号処理手段と、受信手段により受信したテレビ放送信号のうち、第２の方式のテレビ放送信号を処理して映像に関する信号を生成する第２の信号処理手段と、第１及び第２の信号処理手段への電力供給を制御する電力供給制御手段とを備え、電力供給制御手段は、第１の方式のテレビ放送信号を受信するときは、第１の信号処理手段へ電力を供給すると共に第２の信号処理手段への電力供給を断ち、第２の方式のテレビ放送信号を受信するときは、第１の信号処理手段への電力供給を断つと共に第２の信号処理手段へ電力を供給するテレビ放送受信装置において、第１の信号処理手段は、受信手段により受信した第１の方式のテレビ放送信号を増幅する第１の増幅回路と、第１の増幅回路により増幅された信号を復調する第１の復調回路と、第１の復調回路により復調された信号を復号して映像に関する信号を生成する第１の復号回路とを備え、第２の信号処理手段は、受信手段により受信した第２の方式のテレビ放送信号を増幅する第２の増幅回路と、第２の増幅回路により増幅された信号を復調する第２の復調回路と、第２の復調回路により復調された信号を復号して映像に関する信号を生成する第２の復号回路とを備え、電力供給制御手段は、第１の増幅回路、第１の復調回路、第１の復号回路、第２の増幅回路、第２の復調回路、及び第２の復号回路への電力供給を個別に制御するものである。
【００１２】
請求項３の発明は、請求項２に記載のテレビ放送受信装置において、第１の復号回路及び第２の復号回路は、各々デジタルＩＣ化されており、電力供給制御手段は、第１の方式のテレビ放送信号の受信から第２の方式のテレビ放送信号の受信へ切換える際に第１の信号処理手段への電力供給を断つときは、まず第１の増幅回路及び第１の復調回路への電力供給を断ち、その後に第１の復号回路への電力供給を断ち、第２の方式のテレビ放送信号の受信から第１の方式のテレビ放送信号の受信へ切換える際に第２の信号処理手段への電力供給を断つときは、まず第２の増幅回路及び第２の復調回路への電力供給を断ち、その後に第２の復号回路への電力供給を断つものである。
【発明の効果】
【００１３】
請求項１の発明によれば、ＮＴＳＣ方式のテレビ放送信号を受信するときは、ＡＴＳＣ信号処理手段への電力供給が断たれ、ＡＴＳＣ方式のテレビ放送信号を受信するときは、ＮＴＳＣ信号処理手段への電力供給が断たれるため、無駄な電力消費を抑えることができると共に輻射ノイズを抑えることができる。しかも、ＮＴＳＣ方式のテレビ放送信号の受信からＡＴＳＣ方式のテレビ放送信号の受信へ切換える際は、ＮＴＳＣ増幅回路、ＮＴＳＣ復調回路、ＮＴＳＣ復号回路の順に回路の立ち上がり時間の短い順番で電力供給が断たれ、ＡＴＳＣ方式のテレビ放送信号の受信からＮＴＳＣ方式のテレビ放送信号の受信へ切換える際は、ＡＴＳＣ増幅回路、ＡＴＳＣ復調回路、ＡＴＳＣ復号回路の順に回路の立ち上がり時間の短い順番で電力供給が断たれる。その結果、ＮＴＳＣ方式のテレビ放送信号の受信からＡＴＳＣ方式のテレビ放送信号の受信へ切換えた後、直ぐに再びＮＴＳＣ方式のテレビ放送信号の受信に切換えると、立ち上がり時間の長い回路への電源供給が断たれていない状態でＮＴＳＣ方式のテレビ放送信号の受信が開始され、立ち上がり時間の長い回路が既に立ち上がっている分、ＮＴＳＣ方式のテレビ放送信号の映像を素早く表示できる。ＡＴＳＣ方式のテレビ放送信号の受信からＮＴＳＣ方式のテレビ放送信号の受信へ切換えた後、直ぐに再びＡＴＳＣ方式のテレビ放送信号の受信に切換えたときも、同様に、ＡＴＳＣ方式のテレビ放送信号の映像を素早く表示できる。従って、消費電力の節約及び輻射ノイズの低減を図りつつ、例えば、テレビ放送のチャンネルを色々選局して、ディスプレイに表示される映像を見ることによって視聴したい番組を探す場合等、短い間に幾度も異なる方式のテレビ放送が選局操作されたときに、選局されたテレビ放送の映像を素早く表示することができる。また、テレビ放送の映像をアナログディスプレイにて表示する際は、デジタルビデオ処理手段への電力供給が断たれ、デジタルディスプレイにて表示する際は、アナログビデオ処理手段への電力供給が断たれるため、より一層、消費電力を節約することができる。
【００１４】
請求項２の発明によれば、第１の方式のテレビ放送信号を受信するときは、第２の信号処理手段への電力供給が断たれ、第２の方式のテレビ放送信号を受信するときは、第１の信号処理手段への電力供給が断たれるため、無駄な電力消費を抑えることができると共に輻射ノイズを抑えることができる。しかも、第１の信号処理手段の第１の増幅回路、第１の復調回路、第１の復号回路への電力供給、及び第２の信号処理手段の第２の増幅回路、第２の復調回路、第２の復号回路への電力供給を個別に制御するようになっているため、例えば、第１の信号処理手段において第１の増幅回路、第１の復調回路、第１の復号回路への電力供給を立ち上がり時間の短い順番に断つようにし、また、第２の信号処理手段において第２の増幅回路、第２の復調回路、第２の復号回路への電力供給を立ち上がり時間の短い順番に断つようにすることが可能である。このようにすれば、第１の方式のテレビ放送信号の受信から第２の方式のテレビ放送信号の受信へ切換えた後、直ぐに再び第１の方式のテレビ放送信号の受信に切換えると、立ち上がり時間の長い回路への電源供給が断たれていない状態で第１の方式のテレビ放送信号の受信が開始され、立ち上がり時間の長い回路が既に立ち上がっている分、第１の方式のテレビ放送信号の映像を素早く表示できる。第２の方式のテレビ放送信号の受信から第１の方式のテレビ放送信号の受信へ切換えた後、直ぐに再び第２の方式のテレビ放送信号の受信に切換えたときも、同様に、第２の方式のテレビ放送信号の映像を素早く表示できる。従って、消費電力の節約及び輻射ノイズの低減を図りつつ、例えば、テレビ放送のチャンネルを色々選局して、ディスプレイに表示される映像を見ることによって視聴したい番組を探す場合等、短い間に幾度も異なる方式のテレビ放送が選局操作されたときに、選局されたテレビ放送の映像を素早く表示することができる。
【００１５】
請求項３の発明によれば、デジタルＩＣは立ち上がり時間が長く、デジタルＩＣ化された第１の復号回路及び第２の復号回路への電力供給が最後に断たれるため、短い間に幾度も異なる方式のテレビ放送が選局操作されたときに映像を素早く表示させる動作を、より効果的に行うことができる。
【発明を実施するための最良の形態】
【００１６】
以下、本発明を具体化した実施形態によるテレビ放送受信装置について図面を参照して説明する。図１は、テレビ放送受信装置の概略構成を示す。テレビ放送受信装置１は、放送局から所定周波数の搬送波に変調されて配信されるテレビ放送信号を本装置に接続されるアンテナ２を介して受信し、本装置に接続されるディスプレイ（不図示）にてテレビ放送信号による映像を表示するための装置である。このテレビ放送受信装置１は、テレビ放送信号としては、ＮＴＳＣ方式のテレビ放送信号及びＡＴＳＣ方式のテレビ放送信号を受信できるようになっており、また、映像を表示するディスプレイとしては、ＣＲＴディスプレイ等のアナログディスプレイと液晶ディスプレイ等のデジタルディスプレイの両方を利用できるようになっている。
【００１７】
テレビ放送受信装置１は、テレビ放送受信装置１を制御するためのＣＰＵ（電力供給制御手段）１１と、テレビ放送信号を受信する放送信号受信回路１２と、ＮＴＳＣ方式のテレビ放送信号を処理するＮＴＳＣ信号処理ブロック１３と、ＡＴＳＣ方式のテレビ放送信号を処理するＡＴＳＣ信号処理ブロック１４と、アナログディスプレイにて映像を表示するための信号を生成するビデオエンコーダ（アナログビデオ処理手段）１５と、デジタルディスプレイにて映像を表示するための信号を生成するＤＶＩ（デジタルビデオ処理手段）１６と、ＯＳＤ処理回路１７と、メモリ１８と、リモコン１９と、リモコン受信部２０とを備えている。
【００１８】
また、テレビ放送受信装置１は、放送信号受信回路１２にて受信したテレビ放送信号をＮＴＳＣ信号処理ブロック１３とＡＴＳＣ信号処理ブロック１４の何れに供給するか切換えるための受信信号切換用のスイッチ５１、５２と、ＮＴＳＣ信号処理ブロック１３又はＡＴＳＣ信号処理ブロック１４から出力された信号をビデオエンコーダ１５とＤＶＩ１６の何れに供給するか切換えるための出力信号切換用のスイッチ５３とを備えている。
【００１９】
さらに、テレビ放送受信装置１は、ＮＴＳＣ信号処理ブロック１３へ電力を供給、遮断するためのＮＴＳＣ電力供給用の第１〜第３のスイッチ６１〜６３と、ＡＴＳＣ信号処理ブロック１４へ電力を供給、遮断するためのＡＴＳＣ電力供給用の第１〜第３のスイッチ７１〜７３と、ビデオエンコーダ１５へ電力を供給、遮断するためのビデオエンコーダ電力供給用のスイッチ８１と、ＤＶＩ１６へ電力を供給、遮断するためのＤＶＩ電力供給用のスイッチ８２とを備えている。
【００２０】
放送信号受信回路１２は、ＣＰＵ１１による制御のもと、その受信周波数を放送局から配信されるテレビ放送信号の周波数に同調させることにより、テレビ放送信号をアンテナ２を介して受信する。放送信号受信回路１２により受信したテレビ放送信号は、受信信号切換用のスイッチ５１、５２が切換えられることにより、ＮＴＳＣ信号処理ブロック１３、又は、ＡＴＳＣ信号処理ブロック１４の何れかに供給される。
【００２１】
ＮＴＳＣ信号処理ブロック１３は、放送信号受信回路１２により受信したテレビ放送信号のうち、ＮＴＳＣ方式のテレビ放送信号を処理して、映像に関する輝度信号、色信号、同期信号等の信号を生成し出力する。このＮＴＳＣ信号処理ブロック１３は、ＮＴＳＣ増幅回路３１と、ＮＴＳＣ復調回路３２と、ビデオデコーダ（ＮＴＳＣ復号回路）３３とを備えている。
【００２２】
ＮＴＳＣ増幅回路３１は、ＣＰＵ１１による制御のもと、放送信号受信回路１２により受信したＮＴＳＣ方式のテレビ放送信号を増幅する。このＮＴＳＣ増幅回路３１は、アナログＩＣ化されており、ＮＴＳＣ電力供給用の第１のスイッチ６１がオン、オフされることにより、電力が供給、遮断される。ＮＴＳＣ電力供給用の第１のスイッチ６１は、ＮＴＳＣ増幅回路３１へ電力を供給、遮断するためのスイッチである。
【００２３】
ＮＴＳＣ復調回路３２は、ＣＰＵ１１による制御のもと、ＮＴＳＣ増幅回路３１により増幅された信号を復調して、映像に関する輝度信号、色信号、同期信号等の信号が合成されたカラー映像信号を生成する。このＮＴＳＣ復調回路３２は、アナログＩＣ化されており、ＮＴＳＣ電力供給用の第２のスイッチ６２がオン、オフされることにより、電力が供給、遮断される。ＮＴＳＣ電力供給用の第２のスイッチ６２は、ＮＴＳＣ復調回路３２へ電力を供給、遮断するためのスイッチである。ＮＴＳＣ復調回路３２は、ＮＴＳＣ増幅回路３１よりも回路構成が複雑であるため、電力供給時に信号処理可能な状態に立ち上がるまでの立上り時間がＮＴＳＣ増幅回路３１よりも長いものとなっている。
【００２４】
ビデオデコーダ３３は、ＣＰＵ１１による制御のもと、ＮＴＳＣ復調回路３２により復調して生成されたカラー映像信号を復号して、映像に関する輝度信号、色信号、同期信号等の信号を生成する。このビデオデコーダ３３は、デジタルＩＣ化されており、ＮＴＳＣ電力供給用の第３のスイッチ６３がオン、オフされることにより、電力が供給、遮断される。ＮＴＳＣ電力供給用の第３のスイッチ６３は、ビデオデコーダ３３へ電力を供給、遮断するためのスイッチである。ビデオデコーダ３３は、デジタルＩＣ化されているため、立上り時間がＮＴＳＣ復調回路３２よりも長いものとなっている。
【００２５】
ＡＴＳＣ信号処理ブロック１４は、放送信号受信回路１２により受信したテレビ放送信号のうち、ＡＴＳＣ方式のテレビ放送信号を処理して、映像に関する輝度信号、色信号、同期信号等の信号を生成し出力する。このＡＴＳＣ信号処理ブロック１４は、ＡＴＳＣ増幅回路４１と、ＡＴＳＣ復調回路４２と、ＭＰＥＧデコーダ（ＡＴＳＣ復号回路）４３とを備えている。
【００２６】
ＡＴＳＣ増幅回路４１は、ＣＰＵ１１による制御のもと、放送信号受信回路１２により受信したＡＴＳＣ方式のテレビ放送信号を増幅する。このＡＴＳＣ増幅回路４１は、アナログＩＣ化されており、ＡＴＳＣ電力供給用の第１のスイッチ７１がオン、オフされることにより、電力が供給、遮断される。ＡＴＳＣ電力供給用の第１のスイッチ７１は、ＡＴＳＣ増幅回路４１へ電力を供給、遮断するためのスイッチである。
【００２７】
ＡＴＳＣ復調回路４２は、ＣＰＵ１１による制御のもと、ＡＴＳＣ増幅回路４１により増幅された信号を復調して、映像に関する輝度信号、色信号、同期信号等の信号がＭＰＥＧ形式でデジタル圧縮符号化され多重化されたＴＳ（Transport Stream）信号を生成する。このＡＴＳＣ復調回路４２は、デジタルＩＣ化されており、ＡＴＳＣ電力供給用の第２のスイッチ７２がオン、オフされることにより、電力が供給、遮断される。ＡＴＳＣ電力供給用の第２のスイッチ７２は、ＡＴＳＣ復調回路４２へ電力を供給、遮断するためのスイッチである。ＡＴＳＣ復調回路４２は、デジタルＩＣ化されているため、立上り時間がＡＴＳＣ増幅回路４１よりも長いものとなっている。
【００２８】
ＭＰＥＧデコーダ４３は、ＣＰＵ１１による制御のもと、ＡＴＳＣ復調回路４２により復調して生成されたＴＳ信号を復号して、映像に関する輝度信号、色信号、同期信号等の信号を生成する。このＭＰＥＧデコーダ４３は、デジタルＩＣ化されており、ＡＴＳＣ電力供給用の第３のスイッチ７３がオン、オフされることにより、電力が供給、遮断される。ＡＴＳＣ電力供給用の第３のスイッチ７３は、ＭＰＥＧデコーダ４３へ電力を供給、遮断するためのスイッチである。ＭＰＥＧデコーダ４３は、ＡＴＳＣ復調回路４２よりも回路構成が複雑であるため、立上り時間がＡＴＳＣ復調回路４２よりも長いものとなっている。
【００２９】
ＮＴＳＣ信号処理ブロック１３又はＡＴＳＣ信号処理ブロック１４により生成された映像に関する輝度信号、色信号、同期信号等の信号は、出力信号切換用のスイッチ５３が切換えられることにより、ＯＳＤ処理回路１７を介して、ビデオエンコーダ１５又はＤＶＩ１６の何れかに供給される。
【００３０】
ビデオエンコーダ１５は、ＣＰＵ１１による制御のもと、ＮＴＳＣ信号処理ブロック１３及びＡＴＳＣ信号処理ブロック１４により生成された映像に関する輝度信号、色信号、同期信号等の信号を、アナログ出力端子１５ａに接続されるアナログディスプレイ（不図示）にて映像を表示できる形式のアナログ映像信号に処理して、アナログ出力端子１５ａから出力する。ビデオエンコーダ１５は、ビデオエンコーダ電力供給用のスイッチ８１がオン、オフされることにより、電力が供給、遮断される。
【００３１】
ＤＶＩ１６は、ＣＰＵ１１による制御のもと、ＮＴＳＣ信号処理ブロック１３及びＡＴＳＣ信号処理ブロック１４により生成された映像に関する輝度信号、色信号、同期信号等の信号を、デジタル出力端子１６ａに接続されるデジタルディスプレイ（不図示）にて映像を表示できる形式のデジタル映像信号に処理して、デジタル出力端子１６ａから出力する。ＤＶＩ１６は、ＤＶＩ電力供給用のスイッチ８２がオン、オフされることにより、電力が供給、遮断される。
【００３２】
ＯＳＤ処理回路１７は、ＣＰＵ１１による制御のもと、ＮＴＳＣ信号処理ブロック１３及びＡＴＳＣ信号処理ブロック１４から出力される映像に関する信号に、リモコン１９の操作内容やメニュー画面等の画像をディスプレイに表示するための各種オンスクリーン表示信号を重畳する。メモリ１８は、テレビ放送信号の受信周波数をテレビ放送信号のチャンネル番号と対応付けて記憶している。
【００３３】
リモコン１９は、電源のオン／オフ、テレビ放送信号の受信チャンネルの選局、テレビ放送受信装置１のその他の各種動作を指示するためにユーザにより操作されるものであり、各種動作を指示するためにユーザに操作される各種操作キー（何れも不図示）を備えている。リモコン１９は、各種操作キーが操作されることにより、その操作に対応付けられた赤外線コード信号を送出する。リモコン受信部２０は、リモコン１９から送出された赤外線コード信号を受信して電気信号に変換し、リモコン１９の操作に対応する信号をＣＰＵ１１へ出力する。
【００３４】
受信信号切換用のスイッチ５１、５２、出力信号切換用のスイッチ５３、ＮＴＳＣ電力供給用の第１〜第３のスイッチ６１〜６３、ＡＴＳＣ電力供給用の第１〜第３のスイッチ７１〜７３、ビデオエンコーダ電力供給用のスイッチ８１、ＤＶＩ電力供給用のスイッチ８２は、ＣＰＵ１１による制御のもと、個別にオン、オフされる。
【００３５】
ＣＰＵ１１は、リモコン１９の操作に応じて、放送信号受信回路１２の受信周波数を制御してテレビ放送信号の受信動作を制御すると共に、スイッチ５１、５２、５３を切換えて放送信号受信回路１２で受信したテレビ放送信号の供給経路を制御し、また、スイッチ６１〜６３、７１〜７３、８１のオン、オフして各部への電力供給を制御する。また、ＣＰＵ１１は、テレビ放送受信装置１のその他の各種動作を制御する。
【００３６】
このような構成により、テレビ放送受信装置１は、ＮＴＳＣ方式又はＡＴＳＣ方式のテレビ放送信号をアンテナ２を介して受信し、そのテレビ放送信号による映像を、アナログ出力端子１５ａに接続されるアナログディスプレイ（不図示）、又はデジタル出力端子１６ａに接続されるデジタルディスプレイ（不図示）にて表示可能としている。
【００３７】
図２は、上記テレビ放送受信装置１のＮＴＳＣ方式のテレビ放送信号からＡＴＳＣ方式のテレビ放送信号への受信切換え時の動作フローチャートを示す。ＮＴＳＣ方式のテレビ放送信号の受信中において、リモコン１９によりＡＴＳＣ方式のテレビ放送のチャンネルが選局操作されると（＃１でＹＥＳ）、ＣＰＵ１１は、放送信号受信回路１２の受信周波数を選局チャンネルの周波数に同調させて、そのチャンネルのＡＴＳＣ放送信号の受信を開始する（＃２）。
【００３８】
また、これと同時に、ＣＰＵ１１は、受信信号切換用のスイッチ５１、５２をＮＴＳＣ信号処理ブロック１３側からＡＴＳＣ信号処理ブロック１４側に切換えて、放送信号受信回路１２により受信したＡＴＳＣ方式のテレビ放送信号をＡＴＳＣ信号処理ブロック１４に供給し（＃３）、さらに、ＡＴＳＣ電力供給用の第１〜第３のスイッチ７１〜７３をオンして、ＡＴＳＣ増幅回路４１、ＡＴＳＣ復調回路４２、及びＭＰＥＧデコーダ４３への電力供給を開始する（＃４）。
【００３９】
これにより、ＮＴＳＣ方式のテレビ放送信号の受信からＡＴＳＣ方式のテレビ放送信号の受信へ切換えられ、ＡＴＳＣ増幅回路４１、ＡＴＳＣ復調回路４２、ＭＰＥＧデコーダ４３が信号処理できる状態に立ち上がると、受信中のＡＴＳＣ方式のテレビ放送信号による映像がアナログ出力端子１５ａに接続されるアナログディスプレイ、又はデジタル出力端子１６ａに接続されるデジタルディスプレイに表示される。
【００４０】
その後、ＣＰＵ１１は、まずＮＴＳＣ電力供給用の第１のスイッチ６１をオフして、ＮＴＳＣ増幅回路３１への電力供給を断つ（＃５）。このとき、スイッチ６１をオフするタイミングは、例えば、上記＃１で選局操作されてから１秒後とされる。また、これに続いて、ＣＰＵ１１は、ＮＴＳＣ電力供給用の第２のスイッチ６２をオフして、ＮＴＳＣ復調回路３２への電力供給を断つ（＃６）。このとき、スイッチ６２をオフするタイミングは、例えば、上記＃５でスイッチ６１をオフしてから３秒後とされる。そして、最後に、ＣＰＵ１１は、ＮＴＳＣ電力供給用の第３のスイッチ６３をオフして、ビデオデコーダ３３への電力供給を断つ（＃７）。このとき、スイッチ６３をオフするタイミングは、例えば、上記＃６でスイッチ６２をオフしてから５秒後とされる。
【００４１】
図３は、上記テレビ放送受信装置１のＡＴＳＣ方式のテレビ放送信号からＮＴＳＣ方式のテレビ放送信号への受信切換え時の動作フローチャートを示す。ＡＴＳＣ方式のテレビ放送信号の受信中において、リモコン１９によりＮＴＳＣ方式のテレビ放送のチャンネルが選局操作されると（＃１１でＹＥＳ）、ＣＰＵ１１は、放送信号受信回路１２の受信周波数を選局チャンネルの周波数に同調させて、そのチャンネルのＮＴＳＣ放送信号の受信を開始する（＃１２）。
【００４２】
また、これと同時に、ＣＰＵ１１は、受信信号切換用のスイッチ５１、５２をＡＴＳＣ信号処理ブロック１４側からＮＴＳＣ信号処理ブロック１３側に切換えて、放送信号受信回路１２により受信したＮＴＳＣ方式のテレビ放送信号をＮＴＳＣ信号処理ブロック１３に供給し（＃１３）、さらに、ＮＴＳＣ電力供給用の第１〜第３のスイッチ６１〜６３をオンして、ＮＴＳＣ増幅回路３１、ＮＴＳＣ復調回路３２、及びビデオデコーダ３３への電力供給を開始する（＃１４）。これにより、ＡＴＳＣ方式のテレビ放送信号の受信からＮＴＳＣ方式のテレビ放送信号の受信へ切換えられる。
【００４３】
これにより、ＡＴＳＣ方式のテレビ放送信号の受信からＮＴＳＣ方式のテレビ放送信号の受信へ切換えられ、ＮＴＳＣ増幅回路３１、ＮＴＳＣ復調回路３２、ビデオデコーダ３３が信号処理できる状態に立ち上がると、受信中のＮＴＳＣ方式のテレビ放送信号による映像がアナログ出力端子１５ａに接続されるアナログディスプレイ、又はデジタル出力端子１６ａに接続されるデジタルディスプレイに表示される。
【００４４】
その後、ＣＰＵ１１は、まずＡＴＳＣ電力供給用の第１のスイッチ７１をオフして、ＡＴＳＣ増幅回路４１への電力供給を断つ（＃１５）。このとき、スイッチ７１をオフするタイミングは、例えば、上記＃１１で選局操作されてから１秒後とされる。また、これに続いて、ＣＰＵ１１は、ＡＴＳＣ電力供給用の第２のスイッチ７２をオフして、ＡＴＳＣ復調回路４２への電力供給を断つ（＃１６）。このとき、スイッチ７２をオフするタイミングは、例えば、上記＃１５でスイッチ７１をオフしてから３秒後とされる。そして、最後に、ＣＰＵ１１は、ＡＴＳＣ電力供給用の第３のスイッチ７３をオフして、ＭＰＥＧデコーダ４３への電力供給を断つ（＃１７）。このとき、スイッチ７３をオフするタイミングは、例えば、上記＃１６でスイッチ７２をオフしてから５秒後とされる。
【００４５】
なお、テレビ放送の映像をアナログディスプレイにて表示するときは、ＣＰＵ１１は、出力信号切換用のスイッチ５３をビデオエンコーダ１５側にして、ＮＴＳＣ信号処理ブロック１３又はＡＴＳＣ信号処理ブロック１４から出力される信号をビデオエンコーダ１５に供給すると共に、ビデオエンコーダ電力供給用のスイッチ８１をオンにして、ビデオエンコーダ１５へ電力供給し、ＤＶＩ電力供給用のスイッチ８２をオフにして、ＤＶＩ１６への電力供給を断つ。
【００４６】
また、テレビ放送の映像をデジタルディスプレイにて表示するときは、ＣＰＵ１１は、出力信号切換用のスイッチ５３をＤＶＩ１６側にして、ＮＴＳＣ信号処理ブロック１３又はＡＴＳＣ信号処理ブロック１４から出力される信号をＤＶＩ１６に供給すると共に、ＤＶＩ電力供給用のスイッチ８２をオンにして、ＤＶＩ１６へ電力供給し、ビデオエンコーダ電力供給用のスイッチ８１をオフにして、ビデオエンコーダ１５への電力供給を断つ。
【００４７】
このような構成のテレビ放送受信装置１によれば、ＮＴＳＣ方式のテレビ放送信号を受信するときは、ＡＴＳＣ信号処理ブロック１４への電力供給が断たれ、ＡＴＳＣ方式のテレビ放送信号を受信するときは、ＮＴＳＣ信号処理ブロック１３への電力供給が断たれるため、無駄な電力消費を抑えることができると共に輻射ノイズを抑えることができる。
【００４８】
しかも、ＮＴＳＣ方式からＡＴＳＣ方式のテレビ放送信号へ受信を切換える際は、ＮＴＳＣ増幅回路３１、ＮＴＳＣ復調回路３２、ビデオデコーダ３３の順に回路の立ち上がり時間の短い順番で電力供給が断たれ、ＡＴＳＣ方式からＮＴＳＣ方式のテレビ放送信号へ受信を切換える際は、ＡＴＳＣ増幅回路４１、ＡＴＳＣ復調回路４２、ＭＰＥＧデコーダ４３の順に回路の立ち上がり時間の短い順番で電力供給が断たれる。その結果、ＮＴＳＣ方式からＡＴＳＣ方式のテレビ放送信号へ受信を切換えた後、直ぐに再びＮＴＳＣ方式のテレビ放送信号へ受信を切換えると、立ち上がり時間の長い回路への電源供給が断たれていない状態でＮＴＳＣ方式のテレビ放送信号の受信が開始され、立ち上がり時間の長い回路が既に立ち上がっている分、ＮＴＳＣ方式のテレビ放送信号の映像を素早く表示できる。ＡＴＳＣ方式からＮＴＳＣ方式のテレビ放送信号へ受信を切換えた後、直ぐに再びＡＴＳＣ方式のテレビ放送信号へ受信を切換えたときも、同様に、ＡＴＳＣ方式のテレビ放送信号の映像を素早く表示できる。
【００４９】
従って、上記構成のテレビ放送受信装置１によれば、消費電力の節約及び輻射ノイズの低減を図りつつ、例えば、テレビ放送信号のチャンネルを色々選局して、ディスプレイに表示される映像を見ることによって視聴したいテレビ番組を探す場合等、短い間に幾度も異なる方式のテレビ放送信号が選局操作されたときに、選局されたテレビ放送信号の映像を素早く表示することができる。また、テレビ放送信号の映像をアナログディスプレイにて表示する際は、ＤＶＩ１６への電力供給が断たれ、デジタルディスプレイにて表示する際は、ビデオエンコーダ１５への電力供給が断たれるため、より一層、消費電力を節約することができる。
【００５０】
なお、本発明は、上記実施形態の構成に限られず、種々の変形が可能である。例えば、ＮＴＳＣ方式からＡＴＳＣ方式のテレビ放送信号への受信切換え時のＮＴＳＣ電力供給用の第１〜第３のスイッチ６１〜６３をオフするタイミングは、上記実施形態で説明したタイミングに限られず、ＮＴＳＣ増幅回路３１、ＮＴＳＣ復調回路３２、ビデオデコーダ３３の立上り時間を考慮して、適宜のタイミングであってよい。また、ＡＴＳＣ方式からＮＴＳＣ方式のテレビ放送信号への受信切換え時のＡＴＳＣ電力供給用の第１〜第３のスイッチ７１〜７３をオフするタイミングも、上記実施形態で説明したタイミングに限られず、ＡＴＳＣ増幅回路４１、ＡＴＳＣ復調回路４２、ＭＰＥＧデコーダ４３の立上り時間を考慮して、適宜のタイミングであってよい。
【００５１】
また、デジタルＩＣはマイコンを持っているので、そのマイコンを利用して、ＡＴＳＣ復調回路４２にＡＴＳＣ方式のテレビ放送信号を受信する際の受信周波数制御機能を持たせることができる。この場合、ＡＴＳＣ方式からＮＴＳＣ方式のテレビ放送信号へ受信を切換えるときは、ＡＴＳＣ電力供給用の第１〜第３のスイッチ７１〜７３を第１のスイッチ７１、第３のスイッチ７３、第２のスイッチ７２の順にオフして、ＡＴＳＣ増幅回路４１、ＭＰＥＧデコーダ４３、ＡＴＳＣ復調回路４２の順に電力供給を断つようにすればよい。
【図面の簡単な説明】
【００５２】
【図１】本発明の一実施形態によるテレビ放送受信装置の概略構成を示す電気的ブロック構成図。
【図２】同テレビ放送受信装置のＮＴＳＣ方式のテレビ放送信号からＡＴＳＣ方式のテレビ放送信号への受信切換え時の動作を示すフローチャート。
【図３】同テレビ放送受信装置のＡＴＳＣ方式のテレビ放送信号からＮＴＳＣ方式のテレビ放送信号への受信切換え時の動作を示すフローチャート。
【符号の説明】
【００５３】
１    テレビ放送受信装置
２    アンテナ
１１    ＣＰＵ（電力供給制御手段）
１２    放送信号受信回路
１３    ＮＴＳＣ信号処理ブロック
１４    ＡＴＳＣ信号処理ブロック
１５    ビデオエンコーダ（アナログビデオ処理手段）
１５ａ    アナログ出力端子
１６    ＤＶＩ（デジタルビデオ処理手段）
１６ａ    デジタル出力端子
３１    ＮＴＳＣ増幅回路
３２    ＮＴＳＣ復調回路
３３    ビデオデコーダ（ＮＴＳＣ復号回路）
４１    ＡＴＳＣ増幅回路
４２    ＡＴＳＣ復調回路
４３    ＭＰＥＧデコーダ（ＡＴＳＣ復号回路）
５１、５２    受信信号切換用のスイッチ
５３    出力信号切換用のスイッチ
６１    ＮＴＳＣ電力供給用の第１のスイッチ
６２    ＮＴＳＣ電力供給用の第２のスイッチ
６３    ＮＴＳＣ電力供給用の第３のスイッチ
７１    ＡＴＳＣ電力供給用の第１のスイッチ
７２    ＡＴＳＣ電力供給用の第２のスイッチ
７３    ＡＴＳＣ電力供給用の第３のスイッチ
８１    ビデオエンコーダ電力供給用のスイッチ
８２    ＤＶＩ電力供給用のスイッチ
【図１】
2006140846.tif 000003
【図２】
2006140846.tif 000004
【図３】
2006140846.tif 000005